(57)【要約】【課題】ナビゲーション装置における例えば目的地設定等の操作の容易化を図り、音声認識処理時間の短縮を図り、しかも誤認識の可能性も低くすることのできる音声認識装置及び該音声認識装置が搭載されたナビゲーション装置を実現すること。【解決手段】ディスプレイ７に地図を表示する地図表示機能と、入力音声認識に応じた処理を行う音声認識処理機能とを備えた音声認識装置において、ディスプレイ７に表示された地図上の任意の位置を指定する位置指定手段と、入力された入力音声と比較して音声認識するための比較データを記憶する認識辞書と、位置指定手段により指定された位置に応じて認識辞書から比較データを選択し、音声認識処理を行う処理対象データを絞り込む辞書選択手段と、入力音声と辞書選択手段により選択された処理対象データとを比較し、認識結果を出力する認識処理手段とを装備する。【選択図】　　図１
2004020883.tif 000002
【特許請求の範囲】
【請求項１】
表示手段に地図を表示する地図表示機能と、入力音声認識に応じた処理を行う音声認識処理機能とを備えた音声認識装置において、
前記表示手段に表示された地図上の任意の位置を指定する位置指定手段と、
入力された入力音声と比較して音声認識するための比較データを記憶する認識辞書と、
前記位置指定手段により指定された位置に応じて前記認識辞書から比較データを選択し、音声認識処理を行う処理対象データを絞り込む辞書選択手段と、
入力音声と前記辞書選択手段により選択された処理対象データとを比較し、認識結果を出力する認識処理手段とを備えていることを特徴とする音声認識装置。
【請求項２】
前記辞書選択手段が、前記位置指定手段により指定された指定位置を基準として所定範囲に関連する語句の比較データを処理対象データとして選択するものであることを特徴とする請求項１記載の音声認識装置。
【請求項３】
前記辞書選択手段が、前記位置指定手段により指定された境界線内の範囲に関連する語句の比較データを処理対象データとして選択するものであることを特徴とする請求項１記載の音声認識装置。
【請求項４】
前記辞書選択手段が、前記位置指定手段により指定された川、道路、線路等の地図上の線要素の周辺の所定範囲に関連する語句の比較データを処理対象データとして選択するものであることを特徴とする請求項１記載の音声認識装置。
【請求項５】
前記辞書選択手段が、前記位置指定手段により指定された指定位置にある施設と同種の施設に関連する語句の比較データを処理対象データとして選択するものであることを特徴とする請求項１記載の音声認識装置。
【請求項６】
前記位置指定手段が、操作により表示中地図における所定範囲であることを指定する所定範囲指定操作手段であることを特徴とする請求項１記載の音声認識装置。
【請求項７】
前記表示中地図における所定範囲が、表示中の地図の全範囲であることを特徴とする請求項６記載の音声認識装置。
【請求項８】
音声認識装置の現在位置を検出する現在位置検出手段を備え、
前記位置指定手段が、前記現在位置検出手段により検出された現在位置を指定位置であるとして指定する現在位置指定手段であることを特徴とする請求項１記載の音声認識装置。
【請求項９】
前記辞書選択手段による音声認識処理を行う処理対象データの絞り込み処理の実行、非実行を選択するための絞込処理選択手段を備えていることを特徴とする請求項１〜８のいずれかの項に記載の音声認識装置。
【請求項１０】
再絞込指示を行うための再絞込指示手段を備え、
前記辞書選択手段が、前記再絞込指示手段により再絞込指示がなされた場合、より絞り込んだ条件を満たす比較データを処理対象データとして選択するものであることを特徴とする請求項１〜９のいずれかの項に記載の音声認識装置。
【請求項１１】
前記辞書選択手段が、前記位置指定手段により指定された位置に関する施設名、住所、電話番号、または郵便番号等の比較データを処理対象データとして選択するものであることを特徴とする請求項１〜１０のいずれかの項に記載の音声認識装置。
【請求項１２】
前記辞書選択手段が、前記位置指定手段により指定された位置に関する住所の比較データを処理対象データとして選択するものであって、前記再絞込指示手段により再絞込指示がなされた場合、住所の階層を下げた条件で比較データを処理対象データとして選択するものであることを特徴とする請求項１０記載の音声認識装置。
【請求項１３】
前記辞書選択手段が、処理対象データを選択する条件を広げる条件拡大手段を備えていることを特徴とする請求項１〜１２のいずれかの項に記載の音声認識装置。
【請求項１４】
前記認識処理手段が前記条件拡大手段により拡大された条件により選択された処理対象データに対応する認識結果を出力する場合に、その旨を報知する報知手段を備えていることを特徴とする請求項１３記載の音声認識装置。
【請求項１５】
前記認識処理手段が認識不能の場合に、前記辞書選択手段が処理対象データを選択する条件を広げる不能時条件拡大手段を備えていることを特徴とする請求項１〜１４のいずれかの項に記載の音声認識装置。
【請求項１６】
前記位置指定手段が、前記表示手段の前面側に設置され、該表示手段に表示された地図に連動して、操作者の接触位置に応じた入力を行うタッチパネルにより構成されていることを特徴とする請求項１〜１５のいずれかの項に記載の音声認識装置。
【請求項１７】
前記タッチパネルに対する操作時間が所定時間継続する場合には、音声認識処理を中止する認識処理中止手段を備えていることを特徴とする請求項１６記載の音声認識装置。
【請求項１８】
前記タッチパネルに対する操作時間が所定時間継続する場合には、当該タッチパネルの操作を位置指定操作として処理するものであることを特徴とする請求項１７記載の音声認識装置。
【請求項１９】
前記タッチパネルに対する操作回数が所定時間に所定回数に達する場合には、音声認識処理を中止する認識処理中止手段を備えていることを特徴とする請求項１６記載の音声認識装置。
【請求項２０】
音声認識装置の現在位置を検出する現在位置検出手段を備え、
前記タッチパネルに対する操作位置が、前記現在位置検出手段により検出された現在位置に対応する位置である場合、前記音声認識処理を中止する認識処理中止手段を備えていることを特徴とする請求項１６記載の音声認識装置。
【請求項２１】
前記所定範囲に応じて前記表示手段に表示される地図の縮尺率を変更する地図縮尺変更手段を備えていることを特徴とする請求項２、４、６または７のいずれかの項に記載の音声認識装置。
【請求項２２】
前記所定範囲に応じて前記表示手段に表示される地図の向きを変更する地図向き変更手段を備えていることを特徴とする請求項２、４、６、７または２１のいずれかの項に記載の音声認識装置。
【請求項２３】
前記表示手段に表示される地図における前記所定範囲の表示形態を範囲外とは異なったものとする表示形態変更手段を備えていることを特徴とする請求項２、４、６、７、２１または２２のいずれかの項に記載の音声認識装置。
【請求項２４】
音声認識装置の現在位置を検出する現在位置検出手段と、音声認識処理時において、前記表示手段に前記所定範囲付近の地図と現在位置付近の地図との同時分割表示を行う２分割画面表示手段とを備えていることを特徴とする請求項２、４、６、７、２１、２２または２３のいずれかの項に記載の音声認識装置。
【請求項２５】
使用者により選択された目的地までの経路を案内するナビゲーション装置において、
表示手段に表示された地図上の任意の位置を指定する位置指定手段と、
絞り込み条件を報知し、使用者が報知された条件を選択していくことにより目的地が絞り込まれる目的地絞込手段と、
前記位置指定手段により指定された位置に応じて、前記絞り込み条件を選択する条件絞込手段とを備えていることを特徴とするナビゲーション装置。
【発明の詳細な説明】
【０００１】
【発明の属する技術分野】
本発明は、車両等に搭載されて経路案内を行うナビゲーション装置や、駅等に設置されて周辺の観光地点や施設の案内等を行う案内装置等に搭載される、地図表示機能を備えると共に、入力音声に応じた動作を行う音声認識機能を備えた音声認識装置、及び該音声認識装置が搭載されたナビゲーション装置に関する。
【０００２】
【従来の技術】
最近の電子機器は、操作の容易化を図るために音声認識装置を内蔵するものが増えてきている。例えば、ナビゲーション装置は目的地までの経路案内を行う装置であるが、車載用の場合には、車の運転に支障を来してはいけないといった安全性の面から特に操作が容易であることの要求が強く、目的地設定等の操作を音声認識を用いて行うものが実現されている。
【０００３】
【発明が解決しようとする課題】
しかし、ナビゲーション装置における例えば目的地設定の場合、音声認識の対象語は地名、施設名等、膨大な数にのぼり、入力音声との比較を基本的処理とする音声認識処理は、必然的に時間がかかり、また誤認識の可能性も高くなっている。
【０００４】
本発明は上記課題に鑑みなされたものであって、ナビゲーション装置における例えば目的地設定等の操作の容易化を図り、音声認識処理時間の短縮を図り、しかも誤認識の可能性も低くすることのできる音声認識装置及び該音声認識装置が搭載されたナビゲーション装置を実現することを目的としている。
【０００５】
【課題を解決するための手段及びその効果】
上記課題を解決するため、本発明に係る音声認識装置（１）は、表示手段に地図を表示する地図表示機能と、入力音声認識に応じた処理を行う音声認識処理機能とを備えた音声認識装置において、前記表示手段に表示された地図上の任意の位置を指定する位置指定手段と、入力された入力音声と比較して音声認識するための比較データを記憶する認識辞書と、前記位置指定手段により指定された位置に応じて前記認識辞書から比較データを選択し、音声認識処理を行う処理対象データを絞り込む辞書選択手段と、入力音声と前記辞書選択手段により選択された処理対象データとを比較し、認識結果を出力する認識処理手段とを備えていることを特徴としている。
上記音声認識装置（１）によれば、前記位置指定手段により指定された位置に応じて、音声認識の対象語が関連する語句に絞り込まれ数が少なくなるので、入力音声との比較を基本的処理とする音声認識処理は、時間が短縮され、また認識率も向上することとなる。
【０００６】
また、本発明に係る音声認識装置（２）は、上記音声認識装置（１）において、前記辞書選択手段が、前記位置指定手段により指定された指定位置を基準として所定範囲に関連する語句の比較データを処理対象データとして選択するものであることを特徴としている。
上記音声認識装置（２）によれば、前記位置指定手段により指定された指定位置周辺の施設名、地名等が音声認識の対象語に絞り込まれるので、音声認識処理時間が短縮され、また認識率も向上させることができる。
【０００７】
また、本発明に係る音声認識装置（３）は、上記音声認識装置（１）において、前記辞書選択手段が、前記位置指定手段により指定された境界線内の範囲に関連する語句の比較データを処理対象データとして選択するものであることを特徴としている。
上記音声認識装置（３）によれば、前記位置指定手段により指定された境界線内の施設名、地名等が音声認識の対象語に絞り込まれるので、音声認識処理時間が短縮され、また認識率も向上させることができる。
【０００８】
また、本発明に係る音声認識装置（４）は、上記音声認識装置（１）において、前記辞書選択手段が、前記位置指定手段により指定された川、道路、線路等の地図上の線要素の周辺の所定範囲に関連する語句の比較データを処理対象データとして選択するものであることを特徴としている。
上記音声認識装置（４）によれば、前記位置指定手段により指定された川、道路、線路等に沿って存在する施設名、地名等が音声認識の対象語に絞り込まれるので、音声認識処理時間が短縮され、また認識率も向上させることができる。
【０００９】
また、本発明に係る音声認識装置（５）は、上記音声認識装置（１）において、前記辞書選択手段が、前記位置指定手段により指定された指定位置にある施設と同種の施設に関連する語句の比較データを処理対象データとして選択するものであることを特徴としている。
上記音声認識装置（５）によれば、前記位置指定手段により指定された施設と同種の施設、例えば学校名やコンビニエンスストア名等が音声認識の対象語に絞り込まれるので、音声認識処理時間が短縮され、また認識率も格段に向上させることができる。
【００１０】
また、本発明に係る音声認識装置（６）は、上記音声認識装置（１）において、前記位置指定手段が、操作により表示中地図における所定範囲であることを指定する所定範囲指定操作手段であることを特徴としている。
上記音声認識装置（６）によれば、表示中の地図の所定範囲（全範囲、中心から所定距離内等、表示地図中の設定された範囲内）に存在する施設名、地名等が音声認識の対象語に絞り込まれるので、音声認識処理時間が短縮され、また認識率も向上させることができる。
【００１１】
また、本発明に係る音声認識装置（７）は、上記音声認識装置（６）において、前記表示中地図における所定範囲が、表示中の地図の全範囲であることを特徴としている。
上記音声認識装置（７）によれば、表示中の地図の範囲に存在する施設名、地名等が音声認識の対象語に絞り込まれるので、音声認識処理時間が短縮され、また認識率も向上させることができる。
【００１２】
また、本発明に係る音声認識装置（８）は、上記音声認識装置（１）において、音声認識装置の現在位置を検出する現在位置検出手段を備え、前記位置指定手段が、前記現在位置検出手段により検出された現在位置を指定位置であるとして指定する現在位置指定手段であることを特徴としている。
上記音声認識装置（８）によれば、現在位置を基準とする所定範囲に存在する施設名、地名等が音声認識の対象語に絞り込まれるので、音声認識処理時間が短縮され、また認識率も向上させることができる。
【００１３】
また、本発明に係る音声認識装置（９）は、上記音声認識装置（１）〜（８）のいずれかにおいて、前記辞書選択手段による音声認識処理を行う処理対象データの絞り込み処理の実行、非実行を選択するための絞込処理選択手段を備えていることを特徴としている。
上記音声認識装置（９）によれば、音声認識処理を行う処理対象データの絞り込みを必要に応じて、必要な時のみ行うことができる。
【００１４】
また、本発明に係る音声認識装置（１０）は、上記音声認識装置（１）〜（９）のいずれかにおいて、再絞込指示を行うための再絞込指示手段を備え、前記辞書選択手段が、前記再絞込指示手段により再絞込指示がなされた場合、より絞り込んだ条件を満たす比較データを処理対象データとして選択するものであることを特徴としている。
上記音声認識装置（１０）によれば、前記再絞込指示手段の操作により絞込の程度を変えることができ、効率的な絞り込みを行うことが可能となる。
【００１５】
また、本発明に係る音声認識装置（１１）は、上記音声認識装置（１）〜（１０）のいずれかにおいて、前記辞書選択手段が、前記位置指定手段により指定された位置に関する施設名、住所、電話番号、または郵便番号等の比較データを処理対象データとして選択するものであることを特徴としている。
上記音声認識装置（１１）によれば、絞り込まれた施設名、住所、電話番号、または郵便番号等を認識対象とする音声認識処理が行われ、これらを主なキーワードとするナビゲーション装置等における位置（施設）指定に非常な効果を発揮させることができる。
【００１６】
また、本発明に係る音声認識装置（１２）は、上記音声認識装置（１０）において、前記辞書選択手段が、前記位置指定手段により指定された位置に関する住所の比較データを処理対象データとして選択するものであって、前記再絞込指示手段により再絞込指示がなされた場合、住所の階層を下げた条件で比較データを処理対象データとして選択するものであることを特徴としている。
上記音声認識装置（１２）によれば、前記再絞込指示手段の操作により絞込の程度を、その時の都合により都道府県名、市町村名、大字、字、番地等変えることができ、位置指定を適切に絞り込まれた階層から行うことが可能になるので操作を効率的に行うことができることとなる。
【００１７】
また、本発明に係る音声認識装置（１３）は、上記音声認識装置（１）〜（１２）のいずれかにおいて、前記辞書選択手段が、処理対象データを選択する条件を広げる条件拡大手段を備えていることを特徴としている。
上記音声認識装置（１３）によれば、若干広い条件で絞り込みが行われることとなるので、位置指定手段による位置指定操作の誤差等を吸収することができ、認識不能状態の発生確率を抑えることができる。
【００１８】
また、本発明に係る音声認識装置（１４）は、上記音声認識装置（１３）において、前記認識処理手段が前記条件拡大手段により拡大された条件により選択された処理対象データに対応する認識結果を出力する場合に、その旨を報知する報知手段を備えていることを特徴としている。
上記音声認識装置（１４）によれば、指定された位置に応じた絞り込み範囲内での認識結果なのか、若干広げた範囲での認識結果なのかを使用者が認識することができ、その後の使用者の対応が容易となる。
【００１９】
また、本発明に係る音声認識装置（１５）は、上記音声認識装置（１）〜（１４）のいずれかにおいて、前記認識処理手段が認識不能の場合に、前記辞書選択手段が処理対象データを選択する条件を広げる不能時条件拡大手段を備えていることを特徴としている。
上記音声認識装置（１５）によれば、適当な認識語が見つからない場合に、処理対象データが拡大するので、認識不能状態の発生確率を低くすることができる。
【００２０】
また、本発明に係る音声認識装置（１６）は、上記音声認識装置（１）〜（１５）のいずれかにおいて、前記位置指定手段が、前記表示手段の前面側に設置され、該表示手段に表示された地図に連動して、操作者の接触位置に応じた入力を行うタッチパネルにより構成されていることを特徴としている。
上記音声認識装置（１６）によれば、地図に沿ってタッチパネルを触れるという簡単な操作で位置指定ができるので、カーソルキーによる位置指定操作等に比べて素早く、また容易に位置指定操作を行うことができる。
【００２１】
また、本発明に係る音声認識装置（１７）は、上記音声認識装置（１６）において、前記タッチパネルに対する操作時間が所定時間継続する場合には、音声認識処理を中止する認識処理中止手段を備えていることを特徴としている。
上記音声認識装置（１７）によれば、タッチパネルを長時間触れ続けるという操作で音声認識処理を中止するので、音声認識と音声認識によらない目的地の設定等、タッチパネルによる操作と、音声認識による操作を併用している装置等の場合に、タッチパネルの操作により音声認識の中止が可能となり、操作性を向上させることができる。
【００２２】
また、本発明に係る音声認識装置（１８）は、上記音声認識装置（１７）において、前記タッチパネルに対する操作時間が所定時間継続する場合には、当該タッチパネルの操作を位置指定操作として処理するものであることを特徴としている。
上記音声認識装置（１８）によれば、タッチパネルによる操作と、音声認識による操作を併用している装置等の場合に、タッチパネルの操作状態により音声認識ではなく、タッチパネルによる位置指定操作となるので、操作性を向上させることができる。
【００２３】
また、本発明に係る音声認識装置（１９）は、上記音声認識装置（１６）において、前記タッチパネルに対する操作回数が所定時間に所定回数に達する場合には、音声認識処理を中止する認識処理中止手段を備えていることを特徴としている。
上記音声認識装置（１９）によれば、タッチパネルを所定時間に所定回数触れる操作で音声処理を中止するので、音声認識と音声認識によらない目的地の設定等、タッチパネルによる操作と、音声認識による操作を併用している装置等の場合に、タッチパネルの操作により音声認識の中止が可能となり、操作性を向上させることができる。
【００２４】
また、本発明に係る音声認識装置（２０）は、上記音声認識装置（１６）において、音声認識装置の現在位置を検出する現在位置検出手段を備え、前記タッチパネルに対する操作位置が、前記現在位置検出手段により検出された現在位置に対応する位置である場合、前記音声認識処理を中止する認識処理中止手段を備えていることを特徴としている。
上記音声認識装置（２０）によれば、通常位置指定操作の必要性が無い現在位置のタッチパネルによる指定操作により、音声処理を中止するので、音声認識と音声認識によらない目的地の設定等、タッチパネルによる操作と、音声認識による操作を併用している装置等の場合に、タッチパネルの操作により音声認識の中止が可能となり、操作性を向上させることができる。
【００２５】
また、本発明に係る音声認識装置（２１）は、上記音声認識装置（２）、（４）、（６）、（７）のいずれかにおいて、前記所定範囲に応じて前記表示手段に表示される地図の縮尺率を変更する地図縮尺変更手段を備えていることを特徴としている。
上記音声認識装置（２１）によれば、所定範囲が適切な縮尺で表示されるので、視認性の向上を図ることができる。
【００２６】
また、本発明に係る音声認識装置（２２）は、上記音声認識装置（２）、（４）、（６）、（７）、（２１）のいずれかにおいて、前記所定範囲に応じて前記表示手段に表示される地図の向きを変更する地図向き変更手段を備えていることを特徴としている。
上記音声認識装置（２２）によれば、所定範囲が大きく表示されるような適切な向きで表示されるので、視認性の向上を図ることができる。
【００２７】
また、本発明に係る音声認識装置（２３）は、上記音声認識装置（２）、（４）、（６）、（７）、（２１）、（２２）のいずれかにおいて、前記表示手段に表示される地図における前記所定範囲の表示形態を範囲外とは異なったものとする表示形態変更手段を備えていることを特徴としている。
上記音声認識装置（２３）によれば、前記所定範囲が他の範囲と表示形態、例えば色等が変わって表示されるので、前記所定範囲の視認性を良くすることができる。
【００２８】
また、本発明に係る音声認識装置（２４）は、上記音声認識装置（２）、（４）、（６）、（７）、（２１）、（２２）、（２３）のいずれかにおいて、音声認識装置の現在位置を検出する現在位置検出手段と、音声認識処理時において、前記表示手段に前記所定範囲付近の地図と現在位置付近の地図との同時分割表示を行う２分割画面表示手段とを備えていることを特徴としている。
上記音声認識装置（２４）によれば、所定範囲付近の地図と現在位置付近の地図が同時に表示されるので、自己の位置を確認しながら音声認識に関する所定範囲の確認を行うことができる。
【００２９】
また、本発明に係るナビゲーション装置（１）は、使用者により選択された目的地までの経路を案内するナビゲーション装置において、表示手段に表示された地図上の任意の位置を指定する位置指定手段と、絞り込み条件を報知し、使用者が報知された条件を選択していくことにより目的地が絞り込まれる目的地絞込手段と、前記位置指定手段により指定された位置に応じて、前記絞り込み条件を選択する条件絞込手段とを備えていることを特徴としている。
上記ナビゲーション装置（１）によれば、前記位置指定手段により指定された位置に応じて、絞り込み条件が自動的に絞り込まれることになるので、目的地設定操作を簡単にすることが可能となる。
【００３０】
【発明の実施の形態】
以下、本発明の実施の形態に係る音声認識装置について説明する。図１は実施の形態に係る音声認識装置を搭載したナビゲーション装置の構成を示すブロック図である。
【００３１】
ＧＰＳセンサ１はＧＰＳ衛星からの信号を受信し、その信号を基に位置を算出し、ナビゲーションシステム制御用のマイクロコンピュータ（以下、ナビマイコンと記す）５に位置信号を出力するものである。ジャイロセンサ２は、車両の向きの変化を検出するセンサで、ジャイロにより構成され、ナビマイコン５に検出信号を出力するようになっており、このジャイロセンサ２からの検出信号を受信したナビマイコン５では、前記検出信号を積算して車両の方向を算出するようになっている。
【００３２】
車速パルス入力部３は、車両側に設置された車速センサ（図示せず）からの所定走行距離毎に発生する車速パルス（　所定期間におけるパルス数が車速に比例する）　を取り込み、ノイズ除去、波形整形処理等の処理を行った後、ナビマイコン５に出力するようになっている。
【００３３】
車両側に設置された前記車速センサは、車両の駆動系の制御、例えば燃料噴射量制御や点火時期制御に用いられるもので、車両に既設のものである。この車速センサとしては、例えば車軸と同期して回転する磁石と、この磁石の回転位置により変化する磁場の状態に応じて接断状態が変化するリードスイッチからなる磁気センサや、車軸と同期して回転する遮蔽板と、この遮蔽板の回転位置によりその光路の遮断状態が変化する発光素子、受光素子を含む光センサ等が採用可能である。
【００３４】
ＤＶＤ−ＲＯＭプレーヤ１２は、地図データが記憶されたＤＶＤ−ＲＯＭ（光ディスク）から、ナビマイコン５からの制御信号に応じて必要なデータを読み込み、ナビマイコン５に出力するようになっている。尚、ＤＶＤ−ＲＯＭプレーヤ１２のＤＶＤ−ＲＯＭは交換可能となっており、地図の更新（地図ＤＶＤ−ＲＯＭのバージョンアップ）に対応可能になっている。
【００３５】
操作スイッチ６は、ナビゲーションシステム操作用のスイッチで、ナビゲーションシステム本体に設置された押しボタンスイッチ（図示せず）や、赤外線リモコン（図示せず）等により構成され、ＯＮ−ＯＦＦスイッチやジョイスティック等の方向指定用スイッチ等を備えている。また、操作スイッチとしてディスプレイ７の前面に設けられた透明のタッチパネル９も設けられており、ディスプレイ７に対応した座標入力、例えば地図上における位置や範囲指定が可能となっている。
【００３６】
ナビマイコン５は、ジャイロセンサ２の検出信号と車速パルス入力部３からの車速パルスとから自立方式により自車位置を算出し、算出した自車位置とＧＰＳセンサ１からの位置信号とを補完処理して、自車位置を決定している。ナビマイコン５は、この決定された自車位置、操作スイッチ６、タッチパネル９の操作状態に応じて、ＤＶＤ−ＲＯＭプレーヤ１２を制御して必要な地図データ等をＤＶＤ−ＲＯＭから読み込んだり、目的地までの経路を演算する処理等を行い、液晶表示装置等で構成されたディスプレイ７に対応する地図、経路、各種案内、そして操作案内表示等を行うようになっている。ナビマイコン５には、各種データ、プログラムの記憶、また演算処理のために用いるＲＡＭ（図示せず）及びＲＯＭ（図示せず）が内蔵されている。
【００３７】
また、ナビマイコン５には、音声を認識する音声認識部４が接続されており、ナビマイコン５は音声認識部４における認識結果に応じた制御を行うようになっている。つまり、操作者は操作スイッチ６、タッチパネル９による操作と同様の操作を音声により行うことができるようになっている。
【００３８】
音声合成部８はマイコン（図示せず）を含んで構成されており、ナビマイコン５からの文字データを処理して合成音声を生成し、増幅器１０に出力するようになっている。増幅器１０は受信した合成音声信号を増幅して車室内に設けられたスピーカ１１から音声として出力させるようになっている。
【００３９】
次に、音声認識部４の構成をより詳細に説明する。図２は、音声認識部４の構成を示すブロック図である。音声認識部４は、音声を電気信号に変換するマイクロフォン１５と、マイクロフォン１５で取り込んだ音声信号を音声波形データと比較して音声認識する（操作を示す操作データに変換する）マイコン等で構成された認識処理部１６と、認識処理における比較のための音声波形データと操作データとが対応付けられて記憶された認識辞書部１７と、認識辞書部１７から認識処理の対象とする語のデータを選択して記憶する辞書選択部１８とを含んで構成されている。
【００４０】
認識辞書部１７はＲＯＭ、光ディスク等の不揮発性の記憶装置、辞書選択部１８はＲＡＭ、ハードディスク（磁気ディスク）等の高速書換可能な記憶装置により構成されている。これら認識処理部１６および辞書選択部１８の動作はナビマイコン５により制御され、認識処理部１６における認識結果はナビマイコン５に出力されるようになっている。
【００４１】
次に、本実施の形態に係るナビゲーション装置における施設案内動作を説明する。図３はナビゲーション装置における表示状態（及び音声認識動作状態）を示す説明図であり、図４はナビマイコン５の行う音声認識処理を示すフローチャートである。この音声認識処理は、ナビゲーション装置における目的地や中継地等の地点設定操作時に実行される。
【００４２】
まず、ステップＳ１では、設定地点の絞り込み操作が行われたか否かを判断し、絞り込み操作が行われたと判断すればステップＳ４に進み、行われていないと判断すればステップＳ２に進む。ステップＳ４では、絞り込み操作時におけるタッチパネル９への操作（接触）回数を検出し、その後ステップＳ５に進む。ステップＳ５では、絞り込み操作に応じた範囲の施設名、住所、電話番号等（目的地検索条件により変わる。例えば、施設名で目的地を検索するモードでは、施設名、施設種別等が音声認識対象となる）に、音声認識対象となる語を絞り込み、その絞り込まれた語を音声認識するために必要なデータを音声認識辞書（認識辞書部１７）から検索して音声認識処理に用いる第１認識処理辞書を生成し（辞書選択部１８へ記憶）、さらにそれより少し広い範囲（種別）に対応する第２認識処理辞書を生成し、その後ステップＳ７に進む。尚、絞り込み操作に応じたディスプレイ７上の範囲等は他の領域等と色を変える等して識別可能な表示になっている。
【００４３】
絞り込み操作としては図３に示すような操作がある。
図３（Ａ）に示すように、タッチパネル９により任意の指定地点Ａを指定操作（指等で触れる）した場合、その指定地点Ａから所定距離内の範囲が対象範囲Ｂとして設定され、さらにそれより所定距離遠いより広い範囲が拡大対象範囲Ｃとして設定される。また、検出されたタッチパネル９への操作回数が増えるほど、その範囲が徐々に狭くなる（より指定地点Ａに近い範囲に限定される）。例えば、住所による目的地を検索している場合には、１回指定操作するとその地点の都道府県の市町村名が音声認識対象となり、２回指定操作するとその地点の市町村におけるより細かな地名（例えば区、大字等）が音声認識対象となるというように、指定操作回数が増えるほど、その範囲が徐々に狭くなる。
【００４４】
図３（Ｂ）に示すように、タッチパネル９を使用して任意の閉曲線により指定境界Ｄを指定操作（指等で境界をなぞる）した場合、その指定境界Ｄ内の範囲が対象範囲Ｂとして設定され、さらにそれより所定距離遠いより広い範囲が拡大対象範囲Ｃとして設定される。また、検出されたタッチパネル９への操作回数が増えるほど、その範囲が徐々に狭くなる（より対象範囲Ｂの中心に近い範囲に限定される）。
【００４５】
図３（Ｃ）に示すように、タッチパネル９を使用して任意の道路（所定の道路、例えば高速道路、国道、都道府県道、市町村道等の主要道）を指定道路Ｋとして指定操作（指等で触れる）した場合、その指定道路Ｋの近傍の領域が対象範囲Ｂとして設定され、さらにそれより指定道路Ｋから所定距離離れたより広い範囲が拡大対象範囲Ｃとして設定される。また、検出されたタッチパネル９への操作回数が増えるほど、その範囲が徐々に狭くなる（より指定道路Ｋに近い範囲に限定される）。
【００４６】
図３（Ｄ）に示すように、タッチパネル９を使用して任意の施設のランドマークを指定施設Ｅとして指定操作（指等で触れる）した場合、その指定施設Ｅと同種別施設が音声認識の対象として設定される。また、検出されたタッチパネル９への操作回数が増えるほど、その種別範囲が徐々に詳細なものになる。例えば、大学を指定操作する場合には、１回指定操作すると例えばその指定された大学がある都道府県における全種類の学校名が音声認識対象となり、２回指定操作すると大学だけが音声認識対象となる（高校や中学等は除外される）と言うように、指定操作が増えるほど、その施設種別が徐々に詳細に限定される。
【００４７】
ステップＳ２では、設定地点をディスプレイ７に表示されている範囲に絞り込む全画面操作が行われたか否かを判断し、全画面操作が行われたと判断すればステップＳ３に進み、行われていないと判断すればステップＳ６に進む。ステップＳ３では、ディスプレイ７に表示されている範囲の施設名、住所、電話番号等に、音声認識対象となる語を絞り込み、その絞り込まれた語を音声認識するために必要なデータを音声認識辞書から検索して音声認識処理に用いる第１認識処理辞書を生成し、さらにそれより少し広い範囲に対応する第２認識処理辞書を生成し、その後ステップＳ７に進む。
他方、ステップＳ６では、絞り込みを行わずに通常の音声認識処理に用いる認識処理辞書を生成し、その後ステップＳ８に進む。
【００４８】
ステップＳ７では、第１認識処理辞書を用いて音声認識処理を行って認識候補を摘出し、その後ステップＳ８に進む。ステップＳ８では、第２認識処理辞書（あるいは通常認識辞書）を用いて音声認識処理を行って認識候補を摘出し、その後ステップＳ９に進む。
【００４９】
ステップＳ９では、使用者により認識が拒否されていない認識候補があるか否かを判断し、あると判断すればステップＳ１１に進み、無いと判断すればステップＳ１０に進む。ステップＳ１１では、使用者により認識が拒否されていない認識候補の中から入力音声に最も近いと判断される認識候補を報知（表示や音声合成）し、その後ステップＳ１２に進む。この認識候補の報知の際には、その認識候補摘出の元となった認識処理辞書の種別（第１、第２、拡大認識処理辞書）も報知する。
【００５０】
ステップＳ１２では報知された認識候補が、使用者により正しい認識として承諾されたか拒否されたかを、使用者による操作スイッチ６を介した操作により判断し、承諾されたと判断すればステップＳ１３に進み、拒否されたと判断すればステップＳ９に戻る。ステップＳ１３では、認識結果を承諾された認識候補として確定し、その後処理を終える。ステップＳ１３の後、この認識結果に応じた制御（目的地設定等）が行われることとなる。
【００５１】
他方、ステップＳ１０では、認識対象の語を増やすこと、つまり認識処理辞書の拡大が可能か否かを判断し、可能であると判断すればステップＳ１４に進み、不可能である（既に最大の範囲の辞書になっている）と判断すれば、その後処理を終える。辞書拡大不可能であると判断した場合には、音声認識失敗である旨の報知（表示あるいは音声合成）を行うようにしたほうが望ましい。
【００５２】
ステップＳ１４では、認識処理辞書の拡大を行い、その後ステップＳ１５に進む。ステップＳ１５では、拡大した認識処理辞書を用いて音声認識処理を行って認識候補を摘出し、その後ステップＳ９に戻る。
このような処理により、指定した範囲に応じて認識対象語が絞り込まれた認識処理辞書により音声認識処理が行われ、音声認識処理が早くなり、また誤認識の確率も低いものとなる。
【００５３】
次に音声認識処理中における割込処理を図５に基づいて説明する。この処理は、音声認識処理中における使用者による何らかの操作時に実行される。
【００５４】
まず、ステップＳ２１では、使用者による操作が認識処理中止操作か否かを判断し、認識処理中止操作であると判断すればステップＳ２２に進み、認識処理中止操作でないと判断すればステップＳ２３に進む。ここで、認識処理中止操作としては、タッチパネル９の任意の箇所を一定時間（中止判断時間）以上操作し続けた場合、タッチパネル９の任意の箇所を所定回数以上繰り返し操作した場合、タッチパネル９における自車の現在位置マークの部分を操作した場合等が挙げられ、これらの操作形態が可能であると判断すれば、装置における他の操作形態を考慮した上で適切な操作を選択設定しておく。
【００５５】
ステップＳ２３では、使用者による操作がナビゲーション装置における地点指定操作か否かを判断し、地点指定操作であると判断すればステップＳ２４に進み、地点指定操作でないと判断すればステップＳ２５に進む。ここで、地点指定操作としては、タッチパネル９の任意の箇所（指定する地点）を一定時間以上（地点指定時間：中止判断時間が設定されている場合は、地点指定時間以上かつ中止判断時間未満）操作し続けた場合等が挙げられ、これらの操作形態が可能であると判断すれば、装置における他の操作形態を考慮した上で適切な操作を選択設定しておく。
【００５６】
ステップＳ２４では、指定された地点を目的地に設定する等の地点指定処理を行い、その後処理を終える。他方、ステップＳ２５では、使用者による操作は音声認識の絞り込み操作であると判断して、絞り込み処理を行い、その後処理を終える。
【００５７】
以上のような処理を行うことにより、音声認識処理中のタッチパネル９を介した操作により、使用者の望む操作、音声認識処理の中止、地点の設定、音声認識の絞り込み操作等の簡略化を図ることができることとなる。
【００５８】
次に範囲指定操作時における範囲表示処理について説明する。図６は、ナビマイコン５の行う範囲表示処理を示すフローチャートで、範囲指定の操作が行われた時に実行される。また、図３（Ｅ）は指定範囲の表示状態を示す説明図である。
【００５９】
まず、ステップＳ３１では、使用者がタッチパネル９を介して指定した操作内容（例えば、指定境界Ｄの指定、あるいは道路の指定）から対象範囲Ｂを検出し、その後ステップＳ３２に進む。ステップＳ３２では、対象範囲Ｂの最長部（指定境界Ｄ上の２点を結ぶ直線で最長のもの）を検出し、次にステップＳ３３に進む。ステップＳ３３では、対象範囲Ｂの最長部がディスプレイ７の対角線上になるように地図の向きを算出し、また最長部の中心がディスプレイ７の中心となるように地図の位置を算出し、その後ステップＳ３４に進む。ステップＳ３４では、対象範囲が全てディスプレイ７に表示されるように地図の拡大・縮小率を算出し、その後ステップＳ３５に進む。ステップＳ３５では、算出された地図の位置、向き、拡大・縮小率の地図を生成し、さらに対象範囲Ｂが他の範囲と識別可能なように色や彩度、明度等を調整してディスプレイ７上に表示し、その後処理を終える（図３（Ｅ）のパターンＢのような表示になる）。ここで、地図の向きは変えずに、同じ向きのままで対象範囲が全てディスプレイ７に表示されるように地図の拡大・縮小率を算出して、表示する（図３（Ｅ）のパターンＡのような表示になる）方法も若干表示が小さくなる場合があるが、向きの変化がないので戸惑いにくい利点がある。
【００６０】
以上のような処理により、音声認識における絞り込みの対象範囲が地図上に大きく表示されることになり、またほかの範囲と識別可能となるように色等が異なって表示されるので、利用者にとって非常に視認性の良い表示とすることができる。
【００６１】
次にナビゲーション装置における地点指定処理について説明する。図７は、ナビマイコン５の行う地点指定処理を示すフローチャートで、音声認識ではなくタッチパネル７や操作スイッチ６を用いた地点指定操作を対象としており、目的地設定等の地点指定（住所、電話番号、施設名等による指定）の操作が行われた時に実行される。
【００６２】
まず、ステップＳ４１では、範囲指定操作があったか否かを判断し、範囲指定操作があったと判断すればステップＳ４２に進み、範囲指定操作がなかったと判断すればステップＳ４３に進む。ここで、範囲指定操作は図４に示したステップＳ１、ステップＳ２で説明した操作と同様の操作である。ステップＳ４２では、指定された範囲指定に基づいて指定地点候補を絞り込み、その後ステップＳ４３に進む。ここで、指定地点候補の絞り込みは、図４に示したステップＳ５、ステップＳ３で説明した音声認識対象語の絞り込みと同様に、指定範囲に関連する住所、電話番号、施設等が指定地点の対象となる。
【００６３】
ステップＳ４３では、絞り込まれた指定地点候補から地点を指定する処理（通常の地点指定操作に対応する処理と同様の処理で、指定地点候補が絞り込まれた点が異なる）を行い、その後処理を終える。ステップＳ４３の後は指定された地点の経路案内等の処理が行われる。
【００６４】
このような処理により、指定した範囲に応じて指定地点候補が絞り込まれた状態で目的地等の地点を選択指定することとなるので、地点の設定操作を容易なものにすることができる。
【００６５】
また、別の実施の形態では、音声認識処理時において、ディスプレイ７に所定範囲付近の地図と現在位置付近の地図との同時分割表示を行う２分割画面表示手段とを装備しておいてもよい。この場合には、前記所定範囲付近の地図と現在位置付近の地図が同時にディスプレイ７に表示されるので、自己の位置を確認しながら音声認識に関する所定範囲の確認を行うことができる。
【００６６】
尚、上記実施の形態ではタッチパネル９を介した位置指定操作を例に挙げて説明したが、別の実施の形態では、カーソルキーやマウス、トラックボール等の各種位置（座標）入力装置を介した位置指定操作であってもよい。
【図面の簡単な説明】
【図１】本発明の実施の形態に係る音声認識装置が搭載されたナビゲーション装置の概略構成を示すブロック図である。
【図２】音声認識部の構成を示すブロック図である。
【図３】（Ａ）〜（Ｅ）は範囲指定状態を示す説明図である。
【図４】ナビマイコンが行う音声認識処理を示すフローチャートである。
【図５】ナビマイコンが行う割込処理を示すフローチャートである。
【図６】ナビマイコンが行う指定範囲表示処理を示すフローチャートである。
【図７】ナビマイコンが行う地点指定処理を示すフローチャートである。
【符号の説明】
１・・・ＧＰＳセンサ
２・・・ジャイロセンサ
３・・・車速パルス入力部
４・・・音声認識部
５・・・ナビマイコン
６・・・操作スイッチ
７・・・ディスプレイ
８・・・音声合成部
９・・・タッチパネル
【図１】
2004020883.tif 000003
【図２】
2004020883.tif 000004
【図３】
2004020883.tif 000005
【図４】
2004020883.tif 000006
【図５】
2004020883.tif 000007
【図６】
2004020883.tif 000008
【図７】
2004020883.tif 000009